(57)【要約】      （修正有）【課題】購買者が商品サンプルの外側及び内側のいずれをも見ることができ、また、内側の全体を触ることができ、そして、整然とした展示を行うことができる展示ホルダーを提供する。【解決手段】展示ホルダーは、所定の間隙を挟んで対向するように配置された前板１５及び後板１１と、前記前板１５と後板１１を連結する湾曲板であって、該前板１５及び後板１１が開かれたとき、前記対向する状態に戻すような弾性を有する連結部１３とを有する。商品サンプル５０は前板１５と後板１１の間に挟む。展示ホルダーを透明プラスチック板で作製する等により商品サンプル５０の外側を見ることができ、また、前板１５と後板１１を開くことにより商品サンプル５０の内側を見るだけでなくその全体を触ることができる。更に、展示ホルダーが略平面状であるため安定な状態で置かれ、整然とした展示を行うことができる。【選択図】図３
0003180640.tif 000002
【実用新案登録請求の範囲】
【請求項１】
所定の間隙を挟んで対向するように配置された前板及び後板と、
前記前板及び後板を連結する湾曲板であって、該前板及び後板が開かれたとき、前記対向する状態に戻すような弾性を有する連結部と
を有することを特徴とする展示ホルダー。
【請求項２】
前記前板又は後板がＵ字状であることを特徴とする請求項１に記載の展示ホルダー。
【請求項３】
前記前板又は後板が開口を有することを特徴とする請求項１に記載の展示ホルダー。
【請求項４】
前記前板又は後板が透明であることを特徴とする請求項１〜３のいずれかに記載の展示ホルダー。
【請求項５】
前記前板及び後板が前記連結部と一体的に形成されていることを特徴とする請求項１〜４のいずれかに記載の展示ホルダー。
【請求項６】
前記前板及び後板の少なくとも一方に補強片が固定されていることを特徴とする請求項１〜５のいずれかに記載の展示ホルダー。
【考案の詳細な説明】
【技術分野】
【０００１】
本考案は、紙オムツや生理用品、下着パンツ、袋物等の、二つ折りにされた状態又は開口袋状の状態で使用される商品について、購買者がその内側を確認することができるようにして店頭に展示するための展示ホルダーに関する。
【背景技術】
【０００２】
前記のような商品は、外側から見た外観の他、内側の構造や材質の良否も重要な購買動機となる。そこで、購買者が購入前に商品の外側及び内側を確認することができるように、商品サンプルをそのまま商品陳列台等の上に置き、購買者が自由に触れるようにしておくことがよく行われる。しかし、このように置かれた商品サンプルを取り上げ、外側・内側を子細に観察した購買者が、元のきれいな状態で商品陳列台等の上に戻すことは少なく、乱雑な状態で戻されることが多い。一旦このような状態となった商品サンプルは、次の購買者には手にすることがためらわれる。従って、このような商品サンプル展示方法は、実際には購買者へのサンプル呈示の役割をほとんど果たし得ない。
【０００３】
特許文献１には、紙オムツ等の商品サンプルを立体展示する装置（支持体）が開示されている。これは、湾曲する前板と後板とで筒状体を形成し、常時は紙オムツ等の商品サンプルを立体展示することにより、内側も見せるようにしたものである。なお、展示以外の時は前後に押しつぶすことにより平坦となり、支持体自体の取り扱いが容易になるという利点を持つ。
【先行技術文献】
【特許文献】
【０００４】
【特許文献１】特開2002-000413号公報
【考案の概要】
【考案が解決しようとする課題】
【０００５】
特許文献１に記載の展示装置は、購買者が常時商品サンプルの外側と内側を見ることができ、その状態が維持されるという点では、商品サンプルをそのまま商品陳列台上に置くという展示方法よりは展示効果はある。
しかし、この展示装置は、紙オムツ等の商品サンプルを前板と後板の外側に取り付けるという形態、すなわち湾曲する前板と後板を商品サンプルの内側に取り付けるという形態をとるため、商品サンプルの内側の一部がこれら前板・後板に隠され、内側の全体を購買者に見せたり触らせたりすることができないという欠点がある。また、商品展示時の形状が立体的であるがゆえに、それを一定の姿勢に保つための別の支持体が無いと転がってしまい、様々な姿勢をとるようになる。従って、やはり購買者に展示が乱雑であるという印象を与えてしまう可能性がある。
【０００６】
本考案が解決しようとする課題は、購買者が商品サンプルの外側及び内側のいずれをも見ることができ、また、内側の全体を触ることができ、そして、整然とした展示を行うことができる展示ホルダーを提供することにある。
【課題を解決するための手段】
【０００７】
上記課題を解決するために成された本考案に係る展示ホルダーは、
所定の間隙を挟んで対向するように配置された前板及び後板と、
前記前板及び後板を連結する湾曲板であって、該前板及び後板が開かれたとき、前記対向する状態に戻すような弾性を有する連結部と
を有することを特徴とする。
【０００８】
本考案に係る展示ホルダーでは、前板及び後板で商品サンプルを挟むようにして取り付ける。購買者が商品サンプルの内側を見たり触ったりしたい場合には、前板と後板を手で開ければよい。内側を見た後、購買者が手を離すと、前板と後板は連結部の弾性作用により自動的に元の状態に戻る。この状態では前板と後板が対向しているため、展示ホルダー及び商品サンプルは商品陳列台等の上に安定した状態で置かれ得る。従って、展示を常にきれいな状態に保っておくことができる。
【０００９】
前記間隙の大きさ（前板と後板の間の距離）は、商品サンプルの前部と後部の厚さの和と同程度又はそれよりも小さくしておくこともできるし、それよりも大きくしておくこともできる。同程度又は小さくしておいた場合、購買者は商品サンプルの内側を見るためには手で前板と後板を開かねばならないが、展示ホルダー及び商品サンプルが整然としているという印象を与えることができる。間隙の大きさを商品の前部と後部の厚さの和よりも大きくしておくことにより、商品サンプルの上部（連結部側とは逆側の部分）は常に開いた状態となり、購買者は何もせずとも商品の内側を見て触ることができるようになる。
【００１０】
前板又は後板は、全面板の他、左右両側だけのＵ字状の板、中央に開口を有する板等でもよい。これにより、商品サンプルの外側を見せることができる。
【００１１】
前板及び後板が全面板の形態である場合、それらは透明であることが望ましい。これにより、商品サンプルの外側を全面的に見せることができる。もちろん、前板及び後板がＵ字状や開口を有するものであっても同様に透明にしてもよい。
【００１２】
本考案に係る展示ホルダーは、子供用・成人用紙オムツ、生理用品、尿漏れ防止パッド等の二つ折り商品について主に使用されるが、下着パンツや袋物等の開口を有する袋状製品についても使用することができる。
【考案の効果】
【００１３】
上述したように、本考案に係る展示ホルダーによれば、購買者が商品サンプルの外側及び内側のいずれをも見ることができ、また、内側の全体を触ることができる。さらに、常に整然とした展示を行うことが可能となる。
【図面の簡単な説明】
【００１４】
【図１】本考案の一実施例に係る展示ホルダーの正面全体図。
【図２】本実施例に係る展示ホルダーに紙オムツを取り付けた状態を示す正面全体図。
【図３】本実施例に係る展示ホルダーの形態の変化を示す側面全体図であり、（ａ）は通常時の状態、（ｂ）は展示ホルダーを開いた状態を示す。
【図４】本実施例の変形例に係る展示ホルダーの正面全体図。
【図５】本実施例の他の変形例に係る展示ホルダーの正面全体図。
【考案を実施するための形態】
【００１５】
本考案の一実施例における展示ホルダーについて、図１〜図３を参照しながら説明する。
【００１６】
本実施例における展示ホルダーは、紙オムツや生理用品、下着パンツ、袋物等の、二つ折りにされた状態又は開口袋状の状態で使用される商品のサンプルをそのような状態で展示するために用いられる。
【００１７】
本実施例に係る展示ホルダーを図１に示す。本実施例に係る展示ホルダー１は、１枚の透明のプラスチック板を曲げ加工することにより作製され、略平行に対向するように設定された前板１５と後板１１、及び、両者を接続する断面が円弧状の連結部１３から成る。商品サンプルは、折り部が連結部１３側となるようにして、この前板１５と後板１１の間に挟む。
【００１８】
前板１５と後板１１の間隔は、両者の間に挟む商品サンプルの厚さに応じて設定し、それとほぼ同じとするか、やや大きいものとする。そして、連結部１３の断面の円弧の大きさ（直径）は、前記前板１５と後板１１の間隔よりも大きくしておく。商品サンプルを二つ折りにしたとき、商品サンプルの折り部に余裕を持たせてそこに強い力を与えないようにするためと、購買者が商品サンプルの内側を見るために前板１５と後板１１を開いたときに連結部１３自身に過大な応力が掛からないようにするためである。
【００１９】
連結部１３は、購買者が前板１５と後板１１を容易に開くことができる程度の適度な弾性を有するように、その幅と素材のプラスチック板の厚さを設定する。
【００２０】
前板１５及び後板１１の内側には、商品サンプルを固定するためのフック面テープ２３（図１中の点線で囲まれた部分）が設けられている。また、後板１１の自由端には吊下げ片１７が連設されており、そこには紐通し孔２１が左右に２個設けられている。
【００２１】
後板１１の左右の両側部には、補強片２５（図１中の破線で囲まれた部分）が設けられている。補強片２５は、購買者が本展示ホルダー１を開いたときに、前板１５と後板１１が湾曲することなくきれいに開いて商品サンプルの内部を明瞭に見ることができるようにするためのものであり、後板１１に設けてもよいし前板１５に設けてもよい。もちろん、双方に設けてもよい。補強片２５は、細長いプラスチック板を後板１１や前板１５に接着固定したものでもよいが、後板１１又は前板１５の本体を折り返すことにより形成することが望ましい。なお、補強片２５は後板１１や前板１５の両側部ではなく、中央付近に設けてもよい。
【００２２】
本実施例に係る展示ホルダー１に子供用の紙オムツ５０を取り付けた状態を図２に示す。このように紙オムツ５０を取り付けるためには、まず展示ホルダー１を手で開き、二つ折りの紙オムツ５０の外側半分を後板１１のフック面テープ２３に取り付け、もう半分を前板１５のフック面テープ２３に取り付ける。紙オムツ５０の表面には細かい起毛が無数に形成されているため、該表面を各フック面テープ２３に接触させるだけで紙オムツ５０を固定することができる。
【００２３】
このように紙オムツ５０を挟持した状態で、展示ホルダー１を商品陳列台上に載置し、或いは、後板１１の吊り下げ片１７の紐通し孔２１に紐を通して店頭に吊して展示する。上述したように展示ホルダー１が透明プラスチック板で作製されていることにより、購買者は展示ホルダー１を通して紙オムツ５０の外側を見ることができる。また、商品陳列台上に載置する場合は、展示ホルダー１が略平面状であるため安定した状態で置かれ、購買者に整然とした印象を与えることができる。
【００２４】
図３の（ａ）は、紙オムツ５０を展示ホルダー１に取り付けた状態を側面から見た図である。購買者がこの状態から展示ホルダー１を開くと、図３の（ｂ）に示すように紙オムツ５０も開く。従って、購買者は、紙オムツ５０の内側を見るだけでなく、内側全体に自由に触れてその肌触りを確認することができる。
【００２５】
上述した紙オムツ５０とは異なり、表面に起毛を有しない商品のサンプルを展示ホルダー１に取り付ける場合は、商品サンプルの表面に予め面ファスナーのループ面テープを貼付しておき、該ループ面テープを前板１５及び後板１１のフック面テープ２３に係着させるとよい。或いは、接着剤を用いて商品サンプルを前板１５及び後板１１に固定してもよい。
【００２６】
また、連結部１３、前板１５及び後板１１をそれぞれ別のプラスチック板から作製しておき、これらを接着剤等で互いに接着することにより展示ホルダー１を得るようにしてもよい。
【００２７】
図４及び図５は、本実施例の変形例をそれぞれ示したものである。図４に示す展示ホルダー１Ａでは、後板１１Ａと前板１５ＡとがＵ字形状に設けられている。また、図５に示す展示ホルダー１Ｂでは、後板１１Ｂと前板１５Ｂの中央に開口３１、３５がそれぞれ設けられている。これらの展示ホルダー１Ａ、１Ｂでは、取り付けられた商品サンプルの外側を見せ、また、触らせることができる。
【符号の説明】
【００２８】
１、１Ａ、１Ｂ…展示ホルダー
１１、１１Ａ、１１Ｂ…後板
１５、１５Ａ、１５Ｂ…前板
１３…連結部
１７…紐通し片
２１…紐通し孔
２３…フック面テープ
２５…補強片
３１、３５…開口
５０…紙オムツ
【図１】
0003180640.tif 000003
【図２】
0003180640.tif 000004
【図３】
0003180640.tif 000005
【図４】
0003180640.tif 000006
【図５】
0003180640.tif 000007